【手続補正書】
【提出日】平成23年2月3日(2011.2.3)
【手続補正１】
【補正対象書類名】明細書
【補正対象項目名】０００６
【補正方法】変更
【補正の内容】
【０００６】
他の側面では、中継局を含むワイヤレスセルラネットワーク内の無線リソースを管理するための方法は、基地局、基地局の下位の少なくとも１つ又は複数の中継局、及び１つ又は複数の加入者局の間のリンクの品質を示す基地局リンク品質マトリクスを提供するように基地局を動作させるステップを有する。基地局リンク品質マトリクス内の各要素は、ネットワークリンクに対応し、基地局の下位の少なくとも１つ又は複数の中継局及び１つ又は複数の加入者局に接続するリンクの品質を定量化する。この方法は、基地局、基地局の下位の少なくとも１つ又は複数の中継局、及び１つ又は複数の加入者局との間のリンクの品質に基づいて、信号送信におけるフレーム要素を割り当てるように基地局を動作させるステップを有する。
【手続補正２】
【補正対象書類名】明細書
【補正対象項目名】０００９
【補正方法】変更
【補正の内容】
【０００９】
ワイヤレスセルラネットワークの性能は、様々な要因の影響を受けることがある。例えば、ワイヤレスセルラネットワークの容量及びデータスループットは、例えば、使用不可の又は混雑しているネットワークスペクトル、及び低い信号品質等のネットワーク条件下で劣化する。割り当てられるスペクトル帯域は、意図的な電磁放射及び意図されていない電磁放射の両方の増殖のために、望まれている信号及び望まれていない信号によって、混雑の度合いを高めている。スペクトルの混雑の結果、低パワーの信号と、高パワーの信号とが、受信機のアンテナ又はアンテナアレイによって同時に観測される。この結果、望まれている信号が、より強い干渉信号のクラスタに埋没して、不明瞭になり及び検出不能になることがある。信号品質は、隣接するセルの干渉及び低いＤＬ及びＵＬ信号パワーのために、セルエッジにおいて低くなる傾向がある。基地局及び加入者局は、その信号をチャネル及びネットワーク条件に適応化（変調及び符号化）するので、低パワーのＤＬ及びＵＬ信号の結果、スループットが低下する。また、例えば、様々な建物、構造体及び樹木による遮蔽に起因するサービスカバレッジホール（service coverage hole）、加入者局が何れかの固定基地局の無線信号範囲外に出ること、都会の人口集中地及び地方の過疎地に起因する加入者局及びトラヒック負荷の非一様な分布等の他の要因がネットワーク性能を劣化させることもある。
【手続補正３】
【補正対象書類名】明細書
【補正対象項目名】００１０
【補正方法】変更
【補正の内容】
【００１０】
これらの及びこの他の不利なネットワーク条件を緩和するための一手法は、基地局の数を増やし、これによって基地局セルサイズを小さくすることである。基地局は、複雑な無線送受信機であり、送信及び受信回路と、制御回路と、デジタル信号プロセッサと、単一のアンテナ又はアンテナアレイとを含む。基地局の設計及び展開は、例えば、信号送信パワー、アンテナ高、アンテナの空間的なカバレッジ又はビーム幅等の様々な因子に基づいて、最適な性能を達成するように構成できる。この手法に関する問題は、基地局設営のコストが高く、その設営をサポートする場所へのアクセスが限定的であることである。実際、セルラネットワークを展開するコストは、通常、基地局サイト（例えば、不動産コスト、計画、保守、分散ネットワーク、電力等）によって支配されている。
【手続補正４】
【補正対象書類名】明細書
【補正対象項目名】００１４
【補正方法】変更
【補正の内容】
【００１４】
例えば、図１に示すＢＳは、ＢＳのサービスカバレッジを拡張する３個の中継局ＲＳ１、ＲＳ２、ＲＳ３を有する。ＢＳは、ネットワークに接続されており、中継局ＲＳ１、ＲＳ２、ＲＳ３のための、ネットワークの他の部分へのゲートウェイであるので、中継局ＲＳ１、ＲＳ２及びＲＳ３は、ＢＳの下位になる。したがって、ＢＳは、中継局ＲＳ１、ＲＳ２、ＲＳ３の上位になる。更に、中継局ＲＳ１、ＲＳ２、ＲＳ３は、上位のＢＳの制御の下で、互いに上位及び下位の関係を有することができる。例えば、ＲＳ３は、ＲＳ２を介してＢＳと通信するので中継局ＲＳ３は、中継局ＲＳ２の下位になる。したがって、中継局ＲＳ２は、中継局ＲＳ３の上位になる。この文脈においては、図１のシステムのＢＳ及び中継局は、それらの相対関係に基づいて、上位の基地局及び下位の基地局に分類できる。したがって、図１のＢＳは、全ての中継局にとって上位の基地局であり、中継局ＲＳ２は、ＢＳにとっては、下位の基地局であるが、中継局ＲＳ３にとっては、上位の基地局である。図１では、ＲＳ１のカバレッジエリア内に２個の加入者局ＳＳ３及びＳＳ４が示されている。ＲＳ２のカバレッジエリア内には、２個の加入者局ＳＳ５及びＳＳ６と、１つの中継局ＲＳ３とが示されている。加入者局ＳＳ７、ＳＳ８は、ＲＳ３によってサービングされている。中継局（ＲＳ）は、ＭＲ基地局（ＭＲ−ＢＳ）と、１つ又は複数の加入者局（ＳＳ）（例えば、移動加入者局）、若しくは１つ又は複数の更に下位の中継局との間に導入される。
【手続補正５】
【補正対象書類名】明細書
【補正対象項目名】００１７
【補正方法】変更
【補正の内容】
【００１７】
様々な中継局使用法を具体化することができる。一具体例では、中継局は、セルラネットワーク内のネットワークパスにおいて動作する信号転送器（signal forwarder）として構成及び動作され、ネットワークパス内の各中継局は、その直前の機器によって中継器に送信されたＰＤＵのみに依存する。このような中継法を使用することによって、ＰＤＵソースとその宛先との間のエンドツーエンドネットワークパス損失を低減することができる。他の具体例では、空間的に分散された中継局が互いに連携して空間ダイバシチを提供するように、中継局を構成及び動作させる。詳しくは、宛先において受信された中継局の送信信号を結合して、空間ダイバシチを実現することができる。この空間的に分散された中継局間の連携による空間ダイバシチは、アンテナアレイによって実現される空間ダイバシチとは異なり、基地局、加入者局又は中継局において複数のアンテナ素子を統合する必要がなく、及び最適な性能のためにアンテナアレイ素子が受信する信号を非相関させる必要がない。アンテナアレイベースの空間ダイバシチのためのこれらの条件を満たすことができないシナリオでは、空間的に分散された中継局間の連携による空間ダイバシチは、基地局、加入者局、及び中継局間でアンテナアレイ素子を分散させ、「仮想」アンテナアレイを形成することによって、代替を提供する。
【手続補正６】
【補正対象書類名】明細書
【補正対象項目名】００２０
【補正方法】変更
【補正の内容】
【００２０】
このＲＲＭ手続き、アルゴリズム及びデータ構造の適用の具体例には、特に、同一チャネル干渉、雑音、信号伝播距離、シャドウイング、マルチパス及びドップラー周波数シフトに起因する信号フェージング及び信号劣化の緩和、無線又はネットワーク接続承認制御、ＰＤＵ送信のためのフレーム要素のスケジューリング及び割当、セル設計、セル分割（cell sectoring）及びセル間のハンドオフ、パワー制御及び割当、適応変調及び誤り制御符号化、固定及び動的チャネル周波数選択及び割当、並びに帯域幅確保及びサービス品質保証が含まれる。本明細書では、無線リソース再使用のための技術についても開示する。
【手続補正７】
【補正対象書類名】明細書
【補正対象項目名】００２４
【補正方法】変更
【補正の内容】
【００２４】
ここに開示する様々な特徴は、例えば、マルチホップＰＤＵ中継をサポートするために中継局が追加された例示的なワイヤレスセルラネットワークの一部を示す図１の例示的なネットワークＣ等のワイヤレスセルラネットワーク内で具体化できる。この例示的なネットワークは、１つの基地局（ＢＳ）と、３つの中継局（ＲＳ１、ＲＳ２、ＲＳ３）とを含む。基地局及び中継局は、連携して動作して、加入者局（ＳＳ１〜ＳＳ８）に無線カバレッジを提供する。図示する円は、ＢＳ及びＲＳのカバレッジエリアを囲んでいる。例えば、加入者局ＳＳ３及びＳＳ４は、ＲＳ１のカバレッジエリア又はセル内に示されていると共に、ＢＳのセルの外縁にある。
【手続補正８】
【補正対象書類名】明細書
【補正対象項目名】００２７
【補正方法】変更
【補正の内容】
【００２７】
【数１】
2010521109.tif 000001
【手続補正９】
【補正対象書類名】明細書
【補正対象項目名】００３５
【補正方法】変更
【補正の内容】
【００３５】
【数５】
2010521109.tif 000002
【手続補正１０】
【補正対象書類名】明細書
【補正対象項目名】００３９
【補正方法】変更
【補正の内容】
【００３９】
ＯＦＤＭは、幾つかのワイヤレスネットワーク物理層のために標準化されたマルチキャリアデータ送信のための技術である。ＯＦＤＭでは、割り当てられたチャネルは、複数の直交するサブチャネルに分割される。各サブチャネルは、等しい帯域幅を有し、サブキャリア信号の固有の周波数を中心周波数とする。サブキャリア信号は、直交しており、すなわち、何れの２つのサブキャリアの内積もゼロになる。直交するサブキャリア信号の周波数は、等しく、最少量で区切られるので、サブキャリア信号のデータ変調は、最適な帯域幅効率を実現する。これに対し、マルチキャリアデータ送信のための周波数分割多重は、直交しないサブキャリア信号を利用し、したがって、サブキャリア信号周波数のスペクトルを分離するために、割り当てられたチャネル帯域幅の大きなセグメントが消費される。
【手続補正１１】
【補正対象書類名】明細書
【補正対象項目名】００４４
【補正方法】変更
【補正の内容】
【００４４】
図５Ａ及び図５Ｂは、ゾーン、バースト、スロット、サブチャネル、サブチャネルグループ、シンボル及びセグメントについての例示的なＯＦＤＭＡフレーム要素を示している。
【手続補正１２】
【補正対象書類名】明細書
【補正対象項目名】００５４
【補正方法】変更
【補正の内容】
【００５４】
フレーム制御ヘッダ（Frame Control Header：ＦＣＨ）：
ＦＣＨは、プリアンブルフィールドに続き、４位相偏移変調（quadrature phase shift keying：ＱＰＳＫ）レート１／２チャネル符号化及び４重反復符号化（four-fold repetition encoding）（連続する論理サブチャネル番号を有する４つのサブチャネル）を用いて送信される。ＦＣＨは、第１のＤＬ−ＰＵＳＣゾーンで用いられるサブチャネルグループ及びＤＬ−ＭＡＰ（メディアアクセスプロトコル）情報等のフレーム構成情報を提供する。ＤＬ−ＭＡＰは、使用されているサブチャネル、ＤＬ−ＭＡＰで使用されているサブチャネル反復符号化、ＤＬ−ＭＡＰで使用されているチャネル符号化及びＤＬ−ＭＡＰ長を含む。
【手続補正１３】
【補正対象書類名】明細書
【補正対象項目名】００６１
【補正方法】変更
【補正の内容】
【００６１】
基地局は、ネットワークリンク接続情報によって予め構成してもよく、ネットワークリンク接続情報を取得するように動作させてもよい。このようなネットワークリンク接続情報は、下位の中継局のカバレッジエリアを示す。基地局は、ネットワークリンク接続情報を用いて、下位の中継局にＤＬサブフレーム要素を最適に割り当てることができる。例えば、ダウンリンクカバレッジが重ならない２つ以上の中継局（例えば、図１又は図２のＲＳ１及びＲＳ３）があり、換言すれば、これらの中継局の同一チャネル干渉がある妥当なレベルを下回っているとする。基地局は、リンクランクマトリクスＲ及び／又は接続マトリクス（図４Ａ、図４Ｂ及び図４Ｃ参照）における情報等のリンク接続情報を用いて、中継局ＲＳ１及びＲＳ３に対し、それらのカバレッジエリア内における加入者局へのダウンリンクＰＤＵ送信のために同じフレーム要素を同時に使用又は再使用することを命じることができる。
【手続補正１４】
【補正対象書類名】明細書
【補正対象項目名】００６５
【補正方法】変更
【補正の内容】
【００６５】
図７Ａは、ＳＦＲ法のための例示的なサブフレームを示しており、これを用いて、フレーム要素の再使用が実現できる。図７Ｂは、ＲＳ１及びＲＳ３の空間的分布のために、ＲＳ１及びＲＳ３によって、フレームスロットがどのように再使用されるかを示している。ＳＦＲ法を用いる場合、ソースからシンクへのＰＤＵ送信時間は、マルチフレーム中継法（後述）より短くなるが、パス内の中継局が特定の期間内に受信したＰＤＵを処理できるように、より複雑なハードウェアが必要となることがある。
【手続補正１５】
【補正対象書類名】明細書
【補正対象項目名】００７２
【補正方法】変更
【補正の内容】
【００７２】
次に、基地局は、Ｒ内の更新されたリンクランク、更新されたリンク接続マトリクスＣ（ｍ）及び適切なランク付けアルゴリズムを用いて、それらの宛先にＰＤＵを送信するための最適パスをランク付けし、選択する。詳しくは、基地局と所望のＰＤＵ宛先ノードとの間に複数の候補パスが存在することがある。基地局は、Ｒ及びＣ（ｍ）を用いて、全ての候補パスをランク付けし、最適パスを選択することができる。例えば、図３は、基地局から加入者局ＳＳ６への２つの可能なパスを示しており、１ホップパス及び２ホップパスの両方が存在している。基地局は、１ホップパスについては、リンクランクＢＳ−ＳＳ６を用い、２ホップパスについては、リンクランクＢＳ−ＲＳ２と、リンクランクＲＳ２−ＳＳ６の単純な和を用いて、２つのパスをランク付けできる。
【手続補正１６】
【補正対象書類名】明細書
【補正対象項目名】００７７
【補正方法】変更
【補正の内容】
【００７７】
ステップ１０６において、中継局ＲＳ２は、ＤＬサブフレームのＲＳ２プリアンブルを構築し、送信する。ＲＳ２プリアンブルは、図２の例示的なネットワークＣ内の全ての受信機にとって既知の参照信号である。これは、中継局ＲＳ２の１ホップ中継局（ＲＳ３）及び中継局ＲＳ２の１ホップ加入者局（ＳＳ５、ＳＳ６、ＳＳ８）によって、ＤＬ同期（フレームタイミング取得、周波数オフセット推定、シンボルタイミング推定）及びリンク又はチャネル品質推定のために使用される。ＲＳ３、ＳＳ５、ＳＳ６及びＳＳ８は、ＲＳ２プリアンブルを使用して、図４Ａのリンクランクマトリクスの第３行に定義されているリンク品質推定ＲＳ２−ＲＳ３、ＲＳ２−ＳＳ５、ＲＳ２−ＳＳ６及びＲＳ２−ＳＳ８を取得する。これらのリンク品質推定は、ＵＬフレームにおいて基地局に返すことができ、したがって、基地局は、Ｒを更新することができる。
【手続補正１７】
【補正対象書類名】明細書
【補正対象項目名】００７９
【補正方法】変更
【補正の内容】
【００７９】
ステップ１１２において、中継局ＲＳ１及びＲＳ３は、ＤＬサブフレームのＲＳ１プリアンブル及びＲＳ３プリアンブルを同時に構築し、送信する。ＲＳ１プリアンブルは、全てのネットワーク受信機にとって既知の参照信号である。これは、ＳＳ３及びＳＳ４によって、ＤＬ同期（フレームタイミング取得、周波数オフセット推定、シンボルタイミング推定）及びチャネル推定のために使用される。ＳＳ３及びＳＳ４は、ＲＳ１プリアンブルを使用して、図４Ａのリンクランクマトリクスの第２行に定義されているリンク品質推定ＲＳ１−ＳＳ３及びＲＳ１−ＳＳ４を取得することができる。ＲＳ３プリアンブルは、全てのネットワーク受信機にとって既知の参照信号である。これは、ＳＳ７及びＳＳ８によって、ＤＬ同期（フレームタイミング取得、周波数オフセット推定、シンボルタイミング推定）及びチャネル推定のために使用される。ＳＳ７及びＳＳ８は、ＲＳ３プリアンブルを使用して、図４Ａのリンクランクマトリクスの第４行に定義されているリンク品質推定ＲＳ３−ＳＳ７及びＲＳ３−ＳＳ８を取得する。これらのリンク品質推定は、ＵＬフレームにおいて基地局に返すことができ、したがって、基地局は、Ｒを更新することができる。
ステップ１１４及びステップ１１６において、中継局ＲＳ１及びＲＳ３は、ＤＬサブフレームのＲＳ１ ＤＬゾーン及びＲＳ３ ＤＬゾーンを構築する。ＲＳ１及びＲＳ３の空間的分布のために、ＲＳ１及びＲＳ３のためのダウンリンクゾーンは、同じフレーム要素を用いて同時に送信される（詳しくは図７Ｂを参照）。ＲＳ１ ＤＬゾーンは、ＲＳ１によって、その１ホップ加入者局（ＳＳ３、ＳＳ４）に送信されるＦＣＨ、ＤＬ−ＭＡＰ、ＵＬ−ＭＡＰ及びＤＬバーストから構成される。ＲＳ３ ＤＬゾーンは、ＲＳ３によって、その１ホップ加入者局（ＳＳ７、ＳＳ８）に送信されるＦＣＨ、ＤＬ−ＭＡＰ、ＵＬ−ＭＡＰ及びＤＬバーストから構成される。図７Ａでは、図面を簡潔にするために、これらのフィールドを示していない。これらを図示するとすれば、これは、ＲＳ２ ＤＬゾーンについて示した構造と同様の構造を有する。ＲＳ１のＤＬ及びＵＬゾーンのＤＬ及びＵＬバースト割当は、ＲＳ１によって、ＲＳ１ダウンリンクマップ（ＤＬ−ＭＡＰ）及びＲＳ１アップリンクマップ（ＵＬ−ＭＡＰ）内の情報要素（ＩＥ）を用いて指定される。ＲＳ３のＤＬ及びＵＬゾーンのＤＬ及びＵＬバースト割当は、ＲＳ３によって、ＲＳ３ダウンリンクマップ（ＤＬ−ＭＡＰ）及びＲＳ３アップリンクマップ（ＵＬ−ＭＡＰ）内の情報要素（ＩＥ）を用いて指定される。ＲＳ１の１ホップ隣接局（ＳＳ３、ＳＳ４）は、ＲＳ１ ＤＬゾーンを受信し、それらのＤＬ−ＭＡＰ及びＵＬ−ＭＡＰのセクション内のフレーム要素使用コマンドに基づいて、ＤＬデータの受信及びＵＬデータの送信を準備する。ＲＳ３の１ホップ隣接局（ＳＳ７、ＳＳ８）は、ＲＳ３ ＤＬゾーンを受信し、それらのＤＬ−ＭＡＰ及びＵＬ−ＭＡＰのセクション内のフレーム要素使用コマンドに基づいて、ＤＬデータの受信及びＵＬデータの送信を準備する。ＲＳ１ ＭＡＰ及びＲＳ３ ＭＡＰは、ステップ９８において、先にＢＳによって導出されており、したがって、ＲＳ１及びＲＳ３は、ＢＳのためのＭＡＰ転送ノードとして機能する。
【手続補正１８】
【補正対象書類名】明細書
【補正対象項目名】００８２
【補正方法】変更
【補正の内容】
【００８２】
また、ＲＳ１及びＲＳ３のためのアップリンクゾーンは、ＲＳ１ ＵＬレンジングサブチャネル、ＲＳ３ ＵＬレンジングサブチャネル、ＲＳ１ ＵＬ ＣＱＩＣＨ（channel quality indicator channel：チャネル品質インジケータチャネル）、ＲＳ３ ＵＬ ＣＱＩＣＨ、ＲＳ１ ＵＬ ＡＣＫサブチャネル及びＲＳ３ ＵＬ ＡＣＫサブチャネルを含む。図７Ａでは、図面を簡潔にするために、これらのフィールドを示していない。これらを図示するとすれば、これは、ＲＳ２ ＵＬゾーンについて示した構造と同様の構造を有する。
【手続補正１９】
【補正対象書類名】明細書
【補正対象項目名】００９１
【補正方法】変更
【補正の内容】
【００９１】
ステップ１２６及びステップ１２８において、基地局ＢＳの１ホップ中継局（ＲＳ１、ＲＳ２）及び１ホップ加入者局（ＳＳ１、ＳＳ２、ＳＳ３、ＳＳ６）は、ＵＬサブフレームのＢＳ ＵＬゾーンを構築し、送信する。ＢＳ ＵＬゾーンは、ＢＳの１ホップ中継局（ＲＳ１、ＲＳ２）及びＢＳの１ホップ加入者局（ＳＳ１、ＳＳ２、ＳＳ３、ＳＳ６）からＢＳに送信されるデータバーストから構成される。ＢＳ ＵＬゾーンのためのバースト割当は、ＢＳアップリンクマップ（ＵＬ−ＭＡＰ）内の情報要素を用いて指定できる。
【手続補正２０】
【補正対象書類名】明細書
【補正対象項目名】００９７
【補正方法】変更
【補正の内容】
【００９７】
第Ｍフレーム送信
図１１は、動的なフレーム要素割当及び再使用のための方法のフローチャートを示している。図１０Ａ及び図１０Ｂは、ＭＦＲ法のための例示的なフレーム構造を示している。図１０Ｃは、ＭＦＲ法において、ＲＳ１及びＲＳ３の空間的分布のためにタイムスロットがどのように再使用されるかを示している。以下、図１０Ａ及び図１０Ｃ、並びに図１１のフローチャートを参照して、ＭＦＲ法における第ｍフレーム要素の割当のためのステップを説明する。この具体例では、ステップ１９２、１９４、１９６、１９８、２００、２０２、２０４、２０６、２０８、２１０は、それぞれ、図８のステップ９２、９４、９６、９８、１００、１０２、１０４、１０６、１０８、１１０と同じ動作を実行するように構成される。
【手続補正２１】
【補正対象書類名】明細書
【補正対象項目名】０１０３
【補正方法】変更
【補正の内容】
【０１０３】
ステップ２１６において、中継局ＲＳ１及びＲＳ３は、ＤＬサブフレームのＲＳ１プリアンブル及びＲＳ３プリアンブルを構築し、送信する。ＲＳ１プリアンブルは、全てのネットワーク受信機にとって既知の参照信号である。これは、ＳＳ３及びＳＳ４によって、ＤＬ同期（フレームタイミング取得、周波数オフセット推定、シンボルタイミング推定）及びチャネル推定のために使用される。ＳＳ３及びＳＳ４は、ＲＳ１プリアンブルを使用して、図４Ａのリンクランクマトリクスの第２行に定義されているリンク品質推定ＲＳ１−ＳＳ３及びＲＳ１−ＳＳ４を取得することができる。ＲＳ３プリアンブルは、全てのネットワーク受信機にとって既知の参照信号である。これは、ＳＳ７及びＳＳ８によって、ＤＬ同期（フレームタイミング取得、周波数オフセット推定、シンボルタイミング推定）及びチャネル推定のために使用される。ＳＳ７及びＳＳ８は、ＲＳ３プリアンブルを使用して、図４Ａのリンクランクマトリクスの第４行に定義されているリンク品質推定ＲＳ３−ＳＳ７及びＲＳ３−ＳＳ８を取得する。これらのリンク品質推定は、ＵＬフレームにおいて基地局に返すことができ、したがって、基地局は、Ｒを更新することができる。
ステップ２１８及びステップ２２０において、中継局ＲＳ１及びＲＳ３は、ＤＬサブフレームのＲＳ１ ＤＬゾーン及びＲＳ３ ＤＬゾーンを構築する。ＲＳ１及びＲＳ３の空間的分布のために、ＲＳ１及びＲＳ３のためのダウンリンクゾーンは、同じフレーム要素を用いて同時に送信される（詳しくは図１０Ｃを参照）。ＲＳ１ ＤＬゾーンは、ＲＳ１によって、１ホップ加入者局（ＳＳ３、ＳＳ４）に送信されるＦＣＨ、ＤＬ−ＭＡＰ、ＵＬ−ＭＡＰ及びＤＬバーストから構成される。ＲＳ３ ＤＬゾーンは、ＲＳ３によって、１ホップ加入者局（ＳＳ７、ＳＳ８）に送信されるＦＣＨ、ＤＬ−ＭＡＰ、ＵＬ−ＭＡＰ及びＤＬバーストから構成される。図１０Ｂでは、図面を簡潔にするために、これらのフィールドを示していない。これらを図示するとすれば、これは、図１０ＡにおいてＲＳ２ ＤＬゾーンについて示した構造と同様の構造を有する。ＲＳ１のＤＬ及びＵＬゾーンのＤＬ及びＵＬバースト割当は、ＲＳ１によって、ＲＳ１ダウンリンクマップ（ＤＬ−ＭＡＰ）及びＲＳ１アップリンクマップ（ＵＬ−ＭＡＰ）内の情報要素（ＩＥ）を用いて指定される。ＲＳ３のＤＬ及びＵＬゾーンのＤＬ及びＵＬバースト割当は、ＲＳ３によって、ＲＳ３ダウンリンクマップ（ＤＬ−ＭＡＰ）及びＲＳ３アップリンクマップ（ＵＬ−ＭＡＰ）内の情報要素（ＩＥ）を用いて指定される。ＲＳ１の１ホップ隣接局（ＳＳ３、ＳＳ４）は、ＲＳ１ ＤＬゾーンを受信し、それらのＤＬ−ＭＡＰ及びＵＬ−ＭＡＰのセクション内のフレーム要素使用コマンドに基づいて、ＤＬデータの受信及びＵＬデータの送信を準備する。ＲＳ３の１ホップ隣接局（ＳＳ７、ＳＳ８）は、ＲＳ３ ＤＬゾーンを受信し、それらのＤＬ−ＭＡＰ及びＵＬ−ＭＡＰのセクション内のフレーム要素使用コマンドに基づいて、ＤＬデータの受信及びＵＬデータの送信を準備する。ＲＳ１ ＭＡＰ及びＲＳ３ ＭＡＰは、ステップ１９８において、先にＢＳによって導出されており、したがって、ＲＳ１及びＲＳ３は、ＢＳのためのＭＡＰ転送ノードとして機能する。
【手続補正２２】
【補正対象書類名】明細書
【補正対象項目名】０１０６
【補正方法】変更
【補正の内容】
【０１０６】
ＲＳ１ ＵＬレンジングサブチャネルは、ＲＳ１の１ホップ加入者局（ＳＳ３、ＳＳ４）によって、閉ループ時間、周波数及びパワー調整、並びに帯域幅要求を実行するために使用される。ＲＳ３ ＵＬレンジングサブチャネルは、ＲＳ３の１ホップ加入者局（ＳＳ７、ＳＳ８）によって、閉ループ時間、周波数及びパワー調整、並びに帯域幅要求を実行するために使用される。
【手続補正２３】
【補正対象書類名】明細書
【補正対象項目名】０１１５
【補正方法】変更
【補正の内容】
【０１１５】
ＢＳ ＵＬレンジングサブチャネルは、基地局の１ホップ中継局（ＲＳ１、ＲＳ２）によって、閉ループ時間、周波数及びパワー調整、並びに帯域幅要求を実行するために使用される。
【手続補正２４】
【補正対象書類名】明細書
【補正対象項目名】０１２２
【補正方法】変更
【補正の内容】
【０１２２】
他の具体例では、上述の技術において、リンクランクマトリクス内の値に基づく適切なリンク及びパスランク付けアルゴリズムを用いることができる。
【手続補正２５】
【補正対象書類名】明細書
【補正対象項目名】０１３３
【補正方法】変更
【補正の内容】
【０１３３】
本明細書は、多くの詳細を含むが、これらは、本発明の範囲又は請求の範囲を制限するものとは解釈されず、本発明の特定の実施の形態に固有の特徴の説明として解釈される。別々の実施の形態の文脈において、本明細書に開示されている幾つかの特徴は、単一の実施の形態において組合せて実施してもよい。逆に、単一の実施の形態の文脈で開示した様々な特徴は、複数の実施の形態に別個に具現化してもよく、適切な如何なる部分的組合せとして具現化してもよい。更に、以上では、幾つかの特徴を、ある組合せで機能するものと説明しているが、初期的には、そのように特許請求している場合であっても、特許請求された組合せからの１つ以上の特徴は、幾つかの場合、組合せから除外でき、特許請求された組合せは、部分的組合せ又は部分的な組合せの変形に変更してもよい。